(57)【要約】【課題】  床面仕上材に熱の伝わり方が異なる複数のものを用いる場合でも、熱源層の発熱量を変えることなく床面仕上材の表面へ伝わる熱量を調節することができる床暖房パネルを提供する。【解決手段】  表裏両面のうちいずれか一方の面を選択的に床面として使用する床暖房パネル１である。熱源を有する熱源層２の一方の面に断熱材からなる熱調整層３を介して表面化粧材４（４１）を設けるとともに、熱源層２の他方の面に直に表面化粧材４（４２）を設けた。【選択図】      図１
2005214456.tif 000002
【特許請求の範囲】
【請求項１】
表裏両面のうちいずれか一方の面を選択的に床面として使用する床暖房パネルであって、熱源を有する熱源層の一方の面に断熱材からなる熱調整層を介して表面化粧材を設けるとともに、熱源層の他方の面に直に表面化粧材を設けて成ることを特徴とする床暖房パネル。
【請求項２】
熱源層を厚み方向中心からずれた位置に配置して成ることを特徴とする請求項１記載の床暖房パネル。
【請求項３】
熱源層の熱源として電気ヒーターを設け、床暖房パネルの厚み方向に貫通する貫通孔を形成するとともに該貫通孔内にコネクタを配設して該貫通孔に挿入される配線の端部接続部が前記コネクタと接続される取付部を形成し、床暖房パネルの表裏面の前記貫通孔に対応する部分に蓋部を着脱自在に設けて成ることを特徴とする請求項１又は２記載の床暖房パネル。
【発明の詳細な説明】
【技術分野】
【０００１】
本発明は、熱源層を内部に有する床暖房パネルに関するものである。
【背景技術】
【０００２】
従来より、電気ヒーターや温水ヒーター等からなる熱源層に突板等の表面化粧材や必要に応じて断熱材からなる熱調整層を積層した床暖房パネルが知られている（例えば特許文献１参照）。このような従来の床暖房パネルは、熱源層の両面に断熱層を積層するとともにその更に外側面に表面化粧材を積層したりして、床下地上に配置して床面を形成するものである。
【特許文献１】特開２００１−２９６０３４号公報
【発明の開示】
【発明が解決しようとする課題】
【０００３】
このような従来の床暖房パネルにおいては、パネルの表裏面のうちの一方の面のみを床面とするものであり、したがって熱源層から床面となる表面化粧材への熱の伝わり方は一通りに固定されて変更することができず、このため、床面にカーペット等の床面仕上材を配置しようとする場合、その床面仕上材自体の厚み、材質等による熱の伝わり方の相違によって床暖房パネルの熱源層から床面仕上材の表面（即ち実際使用時の床面）までの熱の伝わり方が一定とならないとともに熱源層の発熱量を調節する以外に熱の伝わり方を一定にする方法がないものであった。
【０００４】
例えば、１×６（尺）サイズの床暖房パネルの場合、熱源層の発熱量を８０−１５０Ｗとすることで表面仕上材の表面温度が３０℃程度となるようにしてある。しかしながら、床面仕上材を表面に設ける場合、例えば厚さ１２ｍｍのフロア材を設けるとその表面温度は上記温度よりも３℃程度低下してしまうものであった。
【０００５】
本発明は上記の従来の問題点に鑑みて発明したものであって、その目的とするところは、床面仕上材に熱の伝わり方が異なる複数のものを用いる場合でも、熱源層の発熱量を変えることなく床面仕上材の表面へ伝わる熱量を調節することができる床暖房パネルを提供することを課題とするものである。
【課題を解決するための手段】
【０００６】
上記課題を解決するために請求項１に係る発明にあっては、表裏両面のうちいずれか一方の面を選択的に床面として使用する床暖房パネル１であって、熱源を有する熱源層２の一方の面に断熱材からなる熱調整層３を介して表面化粧材４（４１）を設けるとともに、熱源層２の他方の面に直に表面化粧材４（４２）を設けて成ることを特徴とするものである。このような構成とすることで、熱の伝わり方が違う別の床面仕上材５を床暖房パネル１の上面に設ける場合、あるいは床暖房パネル１の上面に床面仕上材５を設けない場合、等の様々な場合においても、熱源層２の熱源の発熱量を変えることなく実際に使用する床面の温度をほぼ一定温度となるようにすることができる。
【０００７】
また、請求項２の発明は、請求項１の発明において、熱源層２を厚み方向中心からずれた位置に配置して成ることを特徴とするものである。このような構成とすることで、熱源層２から近い側の表面温度が遠い側の表面温度よりも高くなるのが容易となる。
【０００８】
また、請求項３の発明は、請求項１又は２の発明において、熱源層２の熱源として電気ヒーターを設け、床暖房パネル１の厚み方向に貫通する貫通孔６を形成するとともに該貫通孔６内にコネクタ７を配設して該貫通孔６に挿入される配線８の端部接続部８１が前記コネクタ７と接続される取付部を形成し、床暖房パネル１の表裏面の前記貫通孔６に対応する部分に蓋部９を着脱自在に設けて成ることを特徴とするものである。このような構成とすることで、床暖房パネル１の表側の面あるいは裏側の面のいずれを床面とする場合であっても、床下側から（あるいは床上側から）貫通孔６内に配線８を挿入して電気ヒーターを電気的に接続することが可能となる。
【発明の効果】
【０００９】
本発明にあっては、床面にカーペット等の床面仕上材を配置しようとする場合に、床暖房パネルの表側の面と裏側の面とを選択して床面とすることで、熱の伝わり方が違う別の床面仕上材を床暖房パネルの上面に設ける場合、あるいは床暖房パネルの上面に床面仕上材を設けない場合、等の様々な場合においても、熱源層の熱源の発熱量を変えることなく実際に使用する床面の温度をほぼ一定温度となるようにすることができ、様々な床面仕上材を用いる場合にでも一種類の床暖房パネルで対応することができる。
【発明を実施するための最良の形態】
【００１０】
以下、本発明の一実施形態の床暖房パネルを添付図面に基づいて説明する。
【００１１】
床暖房パネル１は、図１に示すように熱源層２、熱調整層３、表面化粧材４の層とで構成される。熱源層２としては、電気ヒーターや、温水路を配管した温水ヒーター等、様々なものが考えられて特に限定されないが、本実施形態では電気ヒーターの熱源層２を用いている。
【００１２】
熱源層２の一方の面側（以下において便宜上、表側とする）に断熱材からなる熱調整層３を設けてある。熱調整層３は、断熱材等からなるもので、熱源層２からその反対側に伝わる熱量を低減させるものである。そして、この熱調整層３の表側には表面化粧材４（４１が設けられる。表面化粧材４１としては特に限定されないものであるが、本実施形態では表面化粧材４１としての０．１ｍｍの突板が設けてある。
【００１３】
また、熱源層２の裏側の面には、表面化粧材４（４２）が直に設けてある。これは、上述した熱調整層３の表側に設けた表面化粧材４１と同様のものが設けてあるが、特に限定されない。
【００１４】
この床暖房パネル１は、熱源層２が発熱を行った場合、表側の面（即ち熱調整層３を介して表面化粧材４１を設けた側の表面）の温度が例えば３５℃程となるとともに、裏側の面（即ち熱源層２に直に表面化粧材４２を設けた側の表面）の温度が例えば４２℃程となるようにしてある。本実施形態の床暖房パネル１にあっては、厚み方向における熱源層２の位置は中心から裏側にずれた位置となっており、上記のように裏側の表面温度が表側の表面温度よりも高くなるのを容易とするものである。
【００１５】
そして、床暖房パネル１を床下地上に配置して床面を形成するのであるが、床暖房パネルの上にカーペット等の床面仕上材を設けない場合には、図１（ａ）に示すように、床暖房パネルの表側の面を上面にして床面となるようにすることで、床面が３５℃程とすることができる。なお、図１中のＢは床下断熱材であり、Ｂ１は下地材を示す。
【００１６】
また、床暖房パネル１の上にカーペット等の床面仕上材５を設ける場合には、図１（ｂ）に示すように、床暖房パネル１の裏側の面を上面にして床下地Ｂ１上に配置するとともに例えば床面仕上材５としての厚さ１２ｍｍのフロアー仕上げ材を床暖房パネル１の上に載置する。これにより、床暖房パネル１の裏側の面（即ち上面）の温度は４２℃程になるものの、その上に床面仕上材５を設けてあることで床面の温度は３５℃程となるようにできる。
【００１７】
なお、床面仕上材５としては上記厚さ１２ｍｍのフロアー仕上げ材に限定されないものであり、床面仕上材５として他にカーペット、畳等、様々なものが挙げられる。
【００１８】
以上のような構成によれば、熱源を有する熱源層２の一方の面（表側の面）に断熱材からなる熱調整層３を介して表面化粧材４１を設けるとともに、熱源層２の他方の面（裏側の面）に直に表面化粧材４２を設けて、表裏両面のうちいずれか一方の面を選択的に床面として使用可能としたことで、床面にカーペット等の床面仕上材５を配置しようとする場合に、床暖房パネル１の表側の面と裏側の面とを選択して床面とすることで、熱の伝わり方が違う別の床面仕上材５を床暖房パネル１の上面に設ける場合、あるいは床暖房パネル１の上面に床面仕上材５を設けない場合、等の様々な場合においても、熱源層２の熱源の発熱量を変えることなく実際に使用する床面の温度をほぼ一定温度となるようにすることができ、様々な床面仕上材５を用いる場合にでも一種類の床暖房パネル１で対応することができる。
【００１９】
また、この熱源層２の熱源として電気ヒーターを設けた床暖房パネル１においては、図２、図３に示すように、床暖房パネル１の厚み方向に貫通する貫通孔６を形成するとともに、この貫通孔６内にコネクタ７が配設される取付部を形成し、配線８の端部接続部８１が前記コネクタ７と接続される取付部を形成し、床暖房パネル１の表裏面の前記貫通孔６に対応する部分に蓋部９を着脱自在に設けてある。表側と裏側の蓋部９は平面視において同じ位置に配置してある。出荷時には、蓋部９は粘着テープで仮止めし、施工後に表側の蓋部９は接着剤等にて固定し、裏側の蓋部９は両面粘着テープ等で固定する。図中の６１は蓋部９の裏面が当接してその蓋部９の表面が床暖房パネル１と面一になる載置部である。
【００２０】
また、床暖房パネル１には貫通孔６と連通するように貫通孔６から側方にトンネル１１が形成してあり、このトンネル１１は隣接する床暖房パネル１のトンネル１１と連通され、この連通したトンネル１１に配線８を配置し、配線８の端部接続部８１をそれぞれ貫通孔６内に配置されるコネクタ７に接続され、隣接する床暖房パネル１同士は電気的に接続される。また、このコネクタ７には隣接する床暖房パネル１と電気的に接続する配線８が接続される他に、自身の床暖房パネル１の電気ヒーターに通電する配線８の端部接続部８１も同様に接続される。
【００２１】
これにより、床暖房パネル１の表側の面あるいは裏側の面のいずれを床面とする場合であっても、床下側から（あるいは床上側から）貫通孔６内に配線８を挿入して電気ヒーターを電気的に接続することが可能となり、電気ヒーターを熱源とする床暖房パネル１の電気配線施工において、施工時に床下から配線施工を行う従来のように大工工事と電気工事を同時に実施する必要がなくなり（施工分離が可能となり）、床暖房パネル１の床上側から配線施工が可能となって省施工とすることができる。また、床暖房パネルの上側に配線したものの場合のように配線変更するため床面仕上材５を剥がす必要がなくなり、剥がした床面仕上材５の無駄をなくして材料費及び施工費の低減を図ることができる。また、床暖房パネル１の下側に配線したものの場合のように施工性が悪くなるのを防止することができる。配線変更するため床面仕上材５を剥がす必要がなくなり、施工性が悪くなるのを阻止することができる。
【図面の簡単な説明】
【００２２】
【図１】本発明の一実施形態を示し、（ａ）は床暖房パネルの上にカーペット等の床面仕上材を設けない場合の縦断面図であり、（ｂ）は床暖房パネルの上にカーペット等の床面仕上材を設ける場合の縦断面図である。
【図２】他例の断面図である。
【図３】同上の蓋部を取り外した状態の平面図である。
【符号の説明】
【００２３】
１  床暖房パネル
２  熱源層
３  熱調整層
４１  表面化粧材
４２  表面化粧材
【図１】
2005214456.tif 000003
【図２】
2005214456.tif 000004
【図３】
2005214456.tif 000005